(57)【要約】  光学特性測定装置は、フリッカと、フリッカと異なる光学特性とを同時に測定できる装置であって、フリッカを測定するための第１の受光センサと、第１の受光センサから出力された信号が入力される第１の後段回路と、光学特性を測定するための第２の受光センサと、第２の受光センサから出力された信号が入力される第２の後段回路と、を備える。
2017104474.tif 000002
【特許請求の範囲】
【請求項１】
フリッカと、前記フリッカと異なる光学特性とを同時に測定できる光学特性測定装置であって、
前記フリッカを測定するための第１の受光センサと、
前記第１の受光センサから出力された信号が入力される第１の後段回路と、
前記光学特性を測定するための第２の受光センサと、
前記第２の受光センサから出力された信号が入力される第２の後段回路と、を備える光学特性測定装置。
【請求項２】
前記第１の受光センサの出力と前記第１の後段回路の入力とを接続し、かつ、前記第２の受光センサの出力と前記第２の後段回路の入力とを接続することを第１の接続とし、前記第１の受光センサの出力と前記第１の後段回路の入力とを接続し、かつ、前記第２の受光センサの出力と前記第１の後段回路の入力とを接続することを第２の接続とし、前記第１の受光センサの出力と前記第２の後段回路の入力とを接続し、かつ、前記第２の受光センサの出力と前記第２の後段回路の入力とを接続することを第３の接続とし、前記第１の接続、前記第２の接続、又は、前記第３の接続を選択的に切り替えるスイッチ部と、
前記フリッカと前記光学特性とを同時に測定する第１のモードのとき、前記スイッチ部を制御して前記第１の接続の状態にし、前記光学特性を測定せずに前記フリッカを測定する第２のモードのとき、前記スイッチ部を制御して前記第２の接続の状態とし、前記フリッカを測定せずに前記光学特性を測定する第３のモードのとき、前記スイッチ部を制御して前記第３の接続の状態にするモード制御部と、をさらに備える請求項１に記載の光学特性測定装置。
【請求項３】
前記第２の受光センサの出力と前記第２の後段回路の入力との接続、又は、前記第２の受光センサの出力と前記第１の後段回路の入力との接続を選択的に切り替えるスイッチ部と、
前記フリッカと前記光学特性とを同時に測定する第１のモードのとき、前記スイッチ部を制御して、前記第２の受光センサの出力と前記第２の後段回路の入力とを接続した状態にし、前記光学特性を測定せずに前記フリッカを測定する第２のモードのとき、前記スイッチ部を制御して、前記第２の受光センサの出力と前記第１の後段回路の入力とを接続した状態にするモード制御部と、をさらに備える請求項１に記載の光学特性測定装置。
【請求項４】
前記第１の受光センサの出力と前記第１の後段回路の入力との接続、又は、前記第１の受光センサの出力と前記第２の後段回路の入力との接続を選択的に切り替えるスイッチ部と、
前記フリッカと前記光学特性とを同時に測定する第１のモードのとき、前記スイッチ部を制御して、前記第１の受光センサの出力と前記第１の後段回路の入力とを接続した状態にし、前記フリッカを測定せずに前記光学特性を測定する第３のモードのとき、前記スイッチ部を制御して、前記第１の受光センサの出力と前記第２の後段回路の入力とを接続した状態にするモード制御部と、をさらに備える請求項１に記載の光学特性測定装置。
【請求項５】
前記第１の後段回路から出力された信号が入力し、入力した信号のうち、前記フリッカの測定で対象とされる周波数成分の信号を出力するフィルタと、
前記光学特性測定装置が、前記フリッカと前記光学特性とを同時に測定しているときに、前記第１の後段回路から出力された信号が飽和していない状態で前記フィルタから出力された信号の値と、前記第２の後段回路から出力された信号の値との所定の関係を示す情報を予め記憶している記憶部と、
前記光学特性測定装置が、前記フリッカと前記光学特性とを同時に測定しているとき、前記フィルタから出力された信号の値、前記第２の後段回路から出力された信号の値、及び、前記記憶部に記憶されている前記所定の関係を示す情報を用いて、前記第１の後段回路から出力された信号が飽和しているか否かを判定する判定部と、
前記第１の後段回路から出力された信号が飽和している判定されたとき、所定の報知をする報知部と、をさらに備え、
前記第２の後段回路は、前記第１の後段回路よりも、ダイナミックレンジの最大値が大きくされている請求項１〜４のいずれか一項に記載の光学特性測定装置。
【発明の詳細な説明】
【技術分野】
【０００１】
本発明は、例えば、液晶ディスプレイの光学特性を測定する技術に関する。
【背景技術】
【０００２】
液晶ディスプレイのような表示装置は、開発過程や製造過程において、複数の光学特性（例えば、フリッカ、色度、輝度）が測定される。複数の光学特性が一台の装置で測定できれば便利である。このような装置として、特許文献１は、光を受光したとき、Ｘ値を示す信号を出力する第１の受光部、Ｙ値を示す信号を出力する第２の受光部、及び、Ｚ値を示す信号を出力する第３の受光部、並びに、第１の受光部から出力された信号を増幅する第１の増幅器、第２の受光部から出力された信号を増幅する第２の増幅器、及び、第３の受光部から出力された信号を増幅する第３の増幅器を備える表示特性測定装置を開示している。第１の受光部、第２の受光部及び第３の受光部は、それぞれ、フィルタとフォトダイオードとの組み合わせである。Ｘ値、Ｙ値、Ｚ値は、三刺激値Ｘ，Ｙ，Ｚのそれぞれを意味する。【０００３】
特許文献１に開示された装置では、第２の増幅器の出力と接続された配線（Ｙ値を示す信号が流れる配線）が、第１の配線と第２の配線とに分岐されている。この装置は、第１の配線を流れる信号をフリッカの測定用の信号とし、第２の配線を流れる信号を、色度及び輝度の測定用の信号とすることにより、フリッカと、色度及び輝度とを同時に測定することができる。【０００４】
特許文献１に開示された装置は、第２の受光部の後段回路である第２の増幅器を、フリッカの測定と、色度及び輝度の測定とで兼用している。しかしながら、フリッカの測定に好適な後段回路と、色度及び輝度の測定に好適な後段回路とは、それぞれ異なる。【０００５】
詳しく説明すると、輝度の測定精度を向上させるには、第２の受光部から出力されたＹ値を示す信号のＳＮ比を向上させる必要がある。Ｙ値を示す信号の増幅及びＳＮ比向上のために、後段回路として、オペアンプを用いた積分回路が適用される場合を考える。この積分回路は、Ｙ値を示す信号を時間積分することにより、ノイズ成分を相対的に低減させて、ＳＮ比を向上させる。積分回路での積分時間が長ければ、ＳＮ比が高くなる。【０００６】
Ｙ信号は、フリッカの測定にも利用される。フリッカを測定するためには、サンプリングレートを高くする必要がある。サンプリングレートを高くするためには、積分回路の積分時間は、短くしなければならない。積分時間が短くなると、ＳＮ比が高くならない。従って、オペアンプを用いた積分回路が、フリッカの測定と、色度及び輝度の測定とで兼用され、これらの測定が同時に実行される場合、ＳＮ比を高くすることができない。
【先行技術文献】
【特許文献】
【０００７】
【特許文献１】特開２００２−１２２５１３号公報
【発明の概要】
【０００８】
本発明は、フリッカと、フリッカと異なる光学特性とを同時に測定でき、かつ、フリッカの測定に好適な後段回路と、フリッカと異なる光学特性の測定に好適な後段回路をそれぞれ用いることができる光学特性測定装置を提供することを目的とする。
【０００９】
上記目的を達成する本発明に係る光学特性測定装置は、フリッカと、前記フリッカと異なる光学特性とを同時に測定できる光学特性測定装置であって、前記フリッカを測定するための第１の受光センサと、前記第１の受光センサから出力された信号が入力される第１の後段回路と、前記光学特性を測定するための第２の受光センサと、前記第２の受光センサから出力された信号が入力される第２の後段回路と、を備える。
【００１０】
上記並びにその他の本発明の目的、特徴及び利点は、以下の詳細な記載と添付図面から明らかになるであろう。
【図面の簡単な説明】
【００１１】
【図１】第１実施形態に係る光学特性測定装置の全体構成を示すブロック図である。
【図２】図１に示す光学特性測定装置に備えられる受光センサ及び増幅器によって構成される回路を示す回路図である。
【図３】比較例に係る光学特性測定装置に備えられる受光センサ及び増幅器によって構成される回路の回路図である。
【図４】第２実施形態に係る光学特性測定装置が第１のモードにおいて、この光学特性測定装置に備えられる受光センサ及び増幅器によって構成される回路の接続状態を示す回路図である。
【図５】第２実施形態に係る光学特性測定装置が第２のモードにおいて、この光学特性測定装置に備えられる受光センサ及び増幅器によって構成される回路の接続状態を示す回路図である。
【図６】第２実施形態に係る光学特性測定装置が第３のモードにおいて、この光学特性測定装置に備えられる受光センサ及び増幅器によって構成される回路の接続状態を示す回路図である。
【図７】第２実施形態に係る光学特性測定装置に備えられる演算制御部、操作部及び表示部の関係を示すブロック図である。
【図８】第２実施形態に係る光学特性測定装置の動作を説明するフローチャートである。
【図９】第３実施形態に係る光学特性測定装置が第１のモードにおいて、この光学特性測定装置に備えられる受光センサ及び増幅器によって構成される回路の接続状態を示す回路図である。
【図１０】増幅器から出力される信号と、フィルタから出力される信号との関係を示すグラフである。
【図１１】第３実施形態に係る光学特性測定装置に備えられる演算制御部、操作部及び表示部の関係を示すブロック図である。
【発明を実施するための形態】
【００１２】
以下、図面に基づいて本発明の実施形態を詳細に説明する。各図において、同一符号を付した構成は、同一の構成であることを示し、その構成について、既に説明している内容については、その説明を省略する。
【００１３】
図１は、本発明の第１実施形態に係る光学特性測定装置１の全体構成を示すブロック図である。図２は、光学特性測定装置１に備えられる受光センサ６ａ，６ｂ，６ｃ，６ｄ及び増幅器７ａ，７ｂ，７ｃ，７ｄによって構成される回路を示す回路図である。図１及び図２を参照して、光学特性測定装置１は、対物レンズ２、光分割部３、レンズ４ａ，４ｂ，４ｃ，４ｄ、フィルタ５ａ，５ｂ，５ｃ、受光センサ６ａ，６ｂ，６ｃ，６ｄ、増幅器７ａ，７ｂ，７ｃ，７ｄ、ＡＤコンバータ８ａ，８ｂ，８ｃ，８ｄ、演算制御部９、操作部１０及び表示部１１を備える。
【００１４】
対物レンズ２は、正の光学的パワーを有しており、測定対象物からの光Ｌを光分割部３へ導く。光学的パワーとは、焦点距離の逆数である。測定対象物は、例えば、液晶ディスプレイに表示される画面である。
【００１５】
光分割部３は、光ファイバの束を備え、この束が途中から４分割された構造を有する。対物レンズ２を通過した光Ｌは、光分割部３の入射端３０から光分割部３に入射し、光分割部３で４つに分割されて、光分割部３の４つの出射端３１ａ，３１ｂ，３１ｃ，３１ｄから出射される。
【００１６】
レンズ４ａは、正の光学的パワーを有しており、出射端３１ａから出射された光を、フィルタ５ａへ導く。フィルタ５ａは、三刺激値のうちのＸ値を検出するためのフィルタである。受光センサ６ａは、第２の受光センサの例であり、フィルタ５ａを通過した光を受光し、受光強度に応じた光電流を出力する。この光電流が、Ｘ値を示す信号となる。
【００１７】
レンズ４ｂは、正の光学的パワーを有しており、出射端３１ｂから出射された光を、フィルタ５ｂへ導く。フィルタ５ｂは、三刺激値のうちのＹ値を検出するためのフィルタである。受光センサ６ｂは、第２の受光センサの例であり、フィルタ５ｂを通過した光を受光し、受光強度に応じた光電流を出力する。この光電流が、Ｙ値を示す信号となる。
【００１８】
レンズ４ｃは、正の光学的パワーを有しており、出射端３１ｃから出射された光を、フィルタ５ｃへ導く。フィルタ５ｃは、三刺激値のうちのＺ値を検出するためのフィルタである。受光センサ６ｃは、第２の受光センサの例であり、フィルタ５ｃを通過した光を受光し、受光強度に応じた光電流を出力する。この光電流が、Ｚ値を示す信号となる。
【００１９】
レンズ４ｄは、正の光学的パワーを有しており、出射端３１ｄから出射された光を、受光センサ６ｄへ導く。受光センサ６ｄは、第１の受光センサの例であり、レンズ４ｄを通過した光を受光し、受光強度に応じた光電流を出力する。この光電流が、フリッカの測定に用いられる信号となる。
【００２０】
受光センサ６ａ，６ｂ，６ｃ，６ｄとして、フォトダイオードが用いられているが、フォトトランジスタでもよい。
【００２１】
増幅器７ａは、第２の後段回路の例であり、受光センサ６ａから出力された、Ｘ値を示す信号を増幅する。受光センサ６ａ及び増幅器７ａによって、Ｘ値検出用の回路が構成される。増幅器７ｂは、第２の後段回路の例であり、受光センサ６ｂから出力された、Ｙ値を示す信号を増幅する。受光センサ６ｂ及び増幅器７ｂによって、Ｙ値検出用の回路が構成される。増幅器７ｃは、第２の後段回路の例であり、受光センサ６ｃから出力された、Ｚ値を示す信号を増幅する。受光センサ６ｃ及び増幅器７ｃによって、Ｚ値検出用の回路が構成される。
【００２２】
増幅器７ａ，７ｂ，７ｃは、オペアンプを用いた積分回路である。これにより、増幅器７ａから出力されるＸ値を示す信号、増幅器７ｂから出力されるＹ値を示す信号、増幅器７ｃから出力されるＺ値を示す信号は、それぞれ、ＳＮ比が大きい信号となる。
【００２３】
増幅器７ｄは、第１の後段回路の例であり、受光センサ６ｄから出力された、フリッカの測定に用いられる信号を増幅する。受光センサ６ｄ及び増幅器７ｄによって、フリッカ測定用の回路が構成される。増幅器７ｄは、増幅器７ａ，７ｂ，７ｃのようにオペアンプを用いた積分回路でなく、オペアンプを用いた電流電圧変換回路（トランスインピーダンス回路）である。これにより、フリッカの測定において、サンプリングレートを高くすることができる。
【００２４】
ＡＤコンバータ８ａは、増幅器７ａから出力された信号を、アナログからデジタルに変換し、演算制御部９へ送る。ＡＤコンバータ８ｂは、増幅器７ｂから出力された信号を、アナログからデジタルに変換し、演算制御部９へ送る。ＡＤコンバータ８ｃは、増幅器７ｃから出力された信号を、アナログからデジタルに変換し、演算制御部９へ送る。ＡＤコンバータ８ｄは、増幅器７ｄから出力された信号を、アナログからデジタルに変換し、演算制御部９へ送る。
【００２５】
演算制御部９は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及び、ＲＯＭ（Ｒｅａｄ  Ｏｎｌｙ  Ｍｅｍｏｒｙ）等によって実現されるマイクロコンピュータであり、光学特性の測定に必要な各種の演算及び制御をする。この演算には、フリッカの測定、及び、フリッカと異なる光学特性（例えば、色度、輝度）の測定に必要な演算が含まれる。
【００２６】
操作部１０は、キーボードやタッチパネル等によって実現され、光学特性測定装置１の操作に必要な命令等を、光学特性測定装置１に入力するための装置である。表示部１１は、液晶ディスプレイ等により実現され、フリッカの測定結果、及び、フリッカと異なる光学特性の測定結果等が表示される。
【００２７】
図１を参照して、第１実施形態に係る光学特性測定装置１の動作について簡単に説明する。フリッカと異なる光学特性の測定として、色度及び輝度の測定を例にして説明するが、色度のみの測定でもよいし、輝度のみの測定でもよい。測定者が、操作部１０を操作して、フリッカと、色度及び輝度とを同時に測定する命令を入力する。この命令は、演算制御部９に送られ、演算制御部９は、受光センサ６ａ，６ｂ，６ｃ，６ｄ、増幅器７ａ，７ｂ，７ｃ，７ｄ、及び、ＡＤコンバータ８ａ，８ｂ，８ｃ，８ｄを作動させる。これにより、受光センサ６ａは、対物レンズ２、光分割部３、レンズ４ａ及びフィルタ５ａを介して、測定対象物からの光を受光し、受光センサ６ｂは、対物レンズ２、光分割部３、レンズ４ｂ及びフィルタ５ｂを介して、測定対象物からの光を受光し、受光センサ６ｃは、対物レンズ２、光分割部３、レンズ４ｃ及びフィルタ５ｃを介して、測定対象物からの光を受光し、受光センサ６ｄは、対物レンズ２、光分割部３及びレンズ４ｄを介して、測定対象物からの光を受光する。
【００２８】
受光センサ６ａが測定対象物からの光を受光することにより、受光センサ６ａから出力された信号（Ｘ値を示す信号）は、増幅器７ａによって増幅され、ＡＤコンバータ８ａによって、アナログからデジタルに変換されて、演算制御部９に送られる。受光センサ６ｂが測定対象物からの光を受光することにより、受光センサ６ｂから出力された信号（Ｙ値を示す信号）は、増幅器７ｂによって増幅され、ＡＤコンバータ８ｂによって、アナログからデジタルに変換されて、演算制御部９に送られる。受光センサ６ｃが測定対象物からの光を受光することにより、受光センサ６ｃから出力された信号（Ｚ値を示す信号）は、増幅器７ｃによって増幅され、ＡＤコンバータ８ｃによって、アナログからデジタルに変換されて、演算制御部９に送られる。受光センサ６ｄが測定対象物からの光を受光することにより、受光センサ６ｄから出力された信号（フリッカの測定に用いられる信号）は、増幅器７ｄによって増幅され、ＡＤコンバータ８ｄによって、アナログからデジタルに変換されて、演算制御部９に送られる。
【００２９】
演算制御部９は、ＡＤコンバータ８ａから送られてきた信号（Ｘ値を示す信号）、ＡＤコンバータ８ｂから送られてきた信号（Ｙ値を示す信号）、及び、ＡＤコンバータ８ｃから送られてきた信号（Ｚ値を示す信号）を用いて、所定の演算をすることにより、測定対象物の色度を算出する。所定の演算として、色度を求めるための公知の演算を用いることができる。また、演算制御部９は、ＡＤコンバータ８ｂから送られてきた信号（Ｙ値を示す信号）を用いて、所定の演算をすることにより、測定対象物の輝度を算出する。所定の演算として、輝度を求めるための公知の演算を用いることができる。
【００３０】
増幅器７ｄから出力された信号の波形は、サインカーブ状である（増幅器７ａ，７ｂ，７ｃから出力された信号の波形も同様である）。この信号の最大値をＶｍａｘ、最小値をＶｍｉｎ、とすると、ＶｍａｘとＶｍｉｎとが交互に繰り返される。
【００３１】
フリッカ値は、例えば、以下の式で定義される。
フリッカ値＝交流成分／直流成分
＝〔（Ｖｍａｘ−Ｖｍｉｎ）／｛（Ｖｍａｘ＋Ｖｍｉｎ）／２｝〕×１００
【００３２】
演算制御部９は、ＡＤコンバータ８ｄから出力された信号を基にして、Ｖｍａｘ及びＶｍｉｎを抽出する。ＡＤコンバータ８ｄから出力された信号には、多数のデジタル値が含まれているので、この中Ｖｍａｘ及びＶｍｉｎを抽出するためには、サンプリングレートを高くする必要がある。このため、オペアンプを用いた電流電圧変換回路が、増幅器７ｄとして用いられる。演算制御部９は、抽出したＶｍａｘ及びＶｍｉｎを用いて、フリッカ値を算出する。
【００３３】
演算制御部９は、フリッカの測定結果（フリッカ値）、並びに、色度及び輝度の測定結果（色度の値、輝度値）を表示部１１に表示させる。以上説明したように、第１実施形態に係る光学特性測定装置１は、フリッカと、色度及び輝度とを同時に測定（言い換えれば、並行して測定）することができる。
【００３４】
第１実施形態の主な効果を比較例と比較して説明する。図３は、比較例に係る光学特性測定装置に備えられる受光センサ及び増幅器によって構成される回路の回路図であり、図２と対応する。図３が図２と異なる点を説明する。図３に示す回路は、スイッチ１５を備える。スイッチ１５は、受光センサ６ｂの出力と増幅器７ｂの入力とを接続した状態と、受光センサ６ｂの出力と増幅器７ｄの入力とを接続した状態と、を切り替えることができる。フリッカ測定用回路とＹ値検出用回路とは、受光センサ６ｂを共有している。
【００３５】
比較例に係る光学特性測定装置は、色度及び輝度を測定せずにフリッカを測定する場合、受光センサ６ｂの出力と増幅器７ｄの入力とが接続されるように、スイッチ１５を制御する。比較例に係る光学特性測定装置は、フリッカを測定せずに色度及び輝度を測定する場合、受光センサ６ｂの出力と増幅器７ｂの入力とが接続されるように、スイッチ１５を制御する。
【００３６】
比較例に係る光学特性測定装置は、フリッカと、色度及び輝度とを同時に測定する場合、受光センサ６ｂの出力と増幅器７ｂの入力とが接続されるように、スイッチ１５を制御する。この場合、比較例に係る光学特性測定装置は、フリッカを測定するために、サンプリングレートを高くする必要があるので、増幅器７ｂの積分時間を短くしなければならい。このため、増幅器７ｂから出力される信号は、ＳＮ比を高くすることができない。
【００３７】
これに対して、図２に示すように、第１実施形態に係る光学特性測定装置１は、フリッカの測定用の受光センサ及び後段回路として、受光センサ６ｄ及び増幅器７ｄを備え、色度及び輝度の測定用の受光センサ及び後段回路として、受光センサ６ａ，６ｂ，６ｃ及び増幅器７ａ，７ｂ，７ｃを備える。このように、第１実施形態に係る光学特性測定装置１によれば、フリッカの測定用の受光センサ及び後段回路と、色度及び輝度の測定用の受光センサ及び後段回路とが別々にされているので、フリッカと、色度及び輝度とを同時に測定でき、かつ、フリッカの測定に好適な後段回路と、色度及び輝度の測定に好適な後段回路をそれぞれ用いることができる。
【００３８】
第２実施形態を説明する。図４は、第２実施形態に係る光学特性測定装置が第１のモードにおいて、この光学特性測定装置に備えられる受光センサ及び増幅器によって構成される回路の接続状態を示す回路図である。第２実施形態に係る光学特性測定装置は、受光センサ６ｂから出力された信号と受光センサ６ｄから出力された信号とを加算することができる。第２実施形態に係る光学特性測定装置は、図１に示すブロック図において、図２に示す回路を、図４に示す回路に置き換えた構成を有する。
【００３９】
第２実施形態に係る光学特性測定装置は、図２に示す回路の構成に加えて、スイッチ１６，１７を備える。スイッチ１６が切り替わることにより、受光センサ６ｂの出力は、増幅器７ｂの入力と接続したり、増幅器７ｄの入力と接続したりする。スイッチ１７が切り替わることにより、受光センサ６ｄの出力は、増幅器７ｄの入力と接続したり、増幅器７ｂの入力と接続したりする。
【００４０】
第１のモードは、フリッカと、フリッカと異なる光学特性とを同時に測定するモードである。フリッカと異なる光学特性の測定として、色度及び輝度の測定を例にして説明するが、色度のみの測定でもよいし、輝度のみの測定でもよい。第１のモードでは、スイッチ１６，１７によって、図４に示す接続（第１の接続）の状態となる。図４において、スイッチ１６は、受光センサ６ｂ（第２の受光センサ）の出力と増幅器７ｂ（第２の後段回路）の入力とを接続しており、スイッチ１７は、受光センサ６ｄ（第１の受光センサ）の出力と増幅器７ｄ（第１の後段回路）の入力とを接続している。
【００４１】
第２実施形態の光学特性測定装置の動作モードは、第１のモードに加えて、第２のモード及び第３のモードがある。第２のモードは、フリッカと異なる光学特性を測定せずに、フリッカを測定するモードである。第２のモードでは、スイッチ１６，１７によって、図５に示す接続（第２の接続）の状態となる。図５は、第２実施形態に係る光学特性測定装置が第２のモードにおいて、この光学特性測定装置に備えられる受光センサ６ａ，６ｂ，６ｃ，６ｄ及び増幅器７ａ，７ｂ，７ｃ，７ｄによって構成される回路の接続状態を示す回路図である。図５において、スイッチ１６は、受光センサ６ｂ（第２の受光センサ）の出力と増幅器７ｄ（第１の後段回路）の入力とを接続しており、スイッチ１７は、受光センサ６ｄ（第１の受光センサ）の出力と増幅器７ｄ（第１の後段回路）の入力とを接続している。
【００４２】
第３のモードは、フリッカを測定せずに、フリッカと異なる光学特性を測定するモードである。第３のモードでは、スイッチ１６，１７によって、図６に示す接続（第３の接続）の状態となる。図６は、第２実施形態に係る光学特性測定装置が第３のモードにおいて、この光学特性測定装置に備えられる受光センサ６ａ，６ｂ，６ｃ，６ｄ及び増幅器７ａ，７ｂ，７ｃ，７ｄによって構成される回路の接続状態を示す回路図である。図６において、スイッチ１６は、受光センサ６ｂ（第２の受光センサ）の出力と増幅器７ｂ（第２の後段回路）の入力とを接続しており、スイッチ１７は、受光センサ６ｄ（第１の受光センサ）の出力と増幅器７ｂ（第２の後段回路）の入力とを接続している。
【００４３】
以上説明したように、スイッチ１６，１７は、スイッチ部の機能を有する。スイッチ部は、図４に示す接続（第１の接続）、図５に示す接続（第２の接続）、又は、図６に示す接続（第３の接続）を選択的に切り替える。
【００４４】
図７は、第２実施形態に係る光学特性測定装置に備えられる演算制御部９、操作部１０及び表示部１１の関係を示すブロック図である。演算制御部９は、機能ブロックとして、モード制御部９０を備える。モード制御部９０は、フリッカと、フリッカと異なる光学特性とを同時に測定する第１のモードのとき、スイッチ１６，１７（スイッチ部）を制御して図４に示す接続の状態（第１の接続の状態）にし、フリッカと異なる光学特性を測定せずにフリッカを測定する第２のモードのとき、スイッチ１６，１７（スイッチ部）を制御して図５に示す接続の状態（第２の接続の状態）とし、フリッカを測定せずにフリッカと異なる光学特性を測定する第３のモードのとき、スイッチ１６，１７（スイッチ部）を制御して図６に示す接続の状態（第３の接続の状態）にする。
【００４５】
第２実施形態に係る光学特性測定装置の動作を説明する。図８は、これを説明するフローチャートである。図７及び図８を参照して、測定者が操作部１０を操作して、測定の命令を入力する（ステップＳ１）。この命令として、フリッカと、色度及び輝度とを同時に測定する命令（第１のモードを実行する命令）、色度及び輝度を測定せずに、フリッカを測定する命令（第２のモードを実行する命令）、フリッカを測定せずに、色度及び輝度を測定する命令（第３のモードを実行する命令）の３種があり、ここでは、フリッカと、色度及び輝度とを同時に測定する命令が入力されたとする。
【００４６】
演算制御部９は、ステップＳ１で入力された命令が、フリッカと、色度及び輝度とを同時に測定する命令か否かを判断する（ステップＳ２）。ステップＳ１で入力された命令が、フリッカと、色度及び輝度とを同時に測定する命令なので、演算制御部９は、フリッカと、色度及び輝度とを同時に測定する命令が入力されたと判断する（ステップＳ２でＹｅｓ）。モード制御部９０は、スイッチ１６，１７を制御して、図４に示す接続（第１の接続）の状態にする（ステップＳ３）。
【００４７】
演算制御部９は、フリッカと、色度及び輝度とを同時に測定する（ステップＳ４）。そして、演算制御部９は、フリッカの測定結果、並びに、色度及び輝度の測定結果を表示部１１に表示させる（ステップＳ５）。ステップＳ４及びステップＳ５は、第１実施形態で説明した光学特性測定装置１の動作と同様である。
【００４８】
ステップＳ１で入力された命令が、色度及び輝度を測定せずに、フリッカを測定する命令の場合について説明する。演算制御部９は、ステップＳ１で入力された命令が、フリッカと、色度及び輝度とを同時に測定する命令か否かを判断する（ステップＳ２）。ステップＳ１で入力された命令が、色度及び輝度を測定せずに、フリッカを測定する命令なので、演算制御部９は、フリッカと、色度及び輝度とを同時に測定する命令が入力されていないと判断する（ステップＳ２でＮｏ）。演算制御部９は、ステップＳ１で入力された命令が、色度及び輝度を測定せずに、フリッカを測定する命令か否かを判断する（ステップＳ６）。ステップＳ１で入力された命令が、色度及び輝度を測定せずに、フリッカを測定する命令なので、演算制御部９は、色度及び輝度を測定せずに、フリッカを測定する命令が入力されたと判断する（ステップＳ６でＹｅｓ）。
【００４９】
モード制御部９０は、スイッチ１６，１７を制御して、図５に示す接続（第２の接続）の状態にする（ステップＳ７）。これにより、増幅器７ｄには、受光センサ６ｄから出力された信号と受光センサ６ｂから出力された信号とが加算された信号（加算信号）が入力される。加算信号は、増幅器７ｄによって増幅され、ＡＤコンバータ８ｄによってアナログからデジタルに変換されて、演算制御部９に送られる。
【００５０】
演算制御部９は、ＡＤコンバータ８ｄから出力された信号を基にして、フリッカを測定する（ステップＳ８）。フリッカの測定は、フリッカ値の算出である。これについては、第１実施形態で説明している。演算制御部９は、フリッカの測定結果を表示部１１に表示させる（ステップＳ９）。
【００５１】
ステップＳ１で入力された命令が、フリッカを測定せずに、色度及び輝度を測定する命令の場合について説明する。演算制御部９は、ステップＳ１で入力された命令が、フリッカと、色度及び輝度とを同時に測定する命令か否かを判断する（ステップＳ２）。ステップＳ１で入力された命令が、フリッカを測定せずに、色度及び輝度を測定する命令なので、演算制御部９は、フリッカと、色度及び輝度とを同時に測定する命令が入力されていないと判断する（ステップＳ２でＮｏ）。演算制御部９は、ステップＳ１で入力された命令が、色度及び輝度を測定せずに、フリッカを測定する命令か否かを判断する（ステップＳ６）。ステップＳ１で入力された命令は、フリッカを測定せずに、色度及び輝度を測定する命令なので、演算制御部９は、色度及び輝度を測定せずに、フリッカを測定する命令が入力されていないと判断し（ステップＳ６でＮｏ）、ステップＳ１で入力された命令が、フリッカを測定せずに、色度及び輝度を測定する命令と判断する（ステップＳ１０）。
【００５２】
モード制御部９０は、スイッチ１６，１７を制御して、図６に示す接続（第３の接続）の状態にする（ステップＳ１１）。これにより、増幅器７ｂには、受光センサ６ｂから出力された信号と受光センサ６ｄから出力された信号とが加算された信号（加算信号）が入力される。加算信号は、増幅器７ｂによって増幅され、ＡＤコンバータ８ｂによってアナログからデジタルに変換されて、演算制御部９に送られる。増幅器７ａには、受光センサ６ａから出力された信号が入力される。この信号は、増幅器７ａによって増幅され、ＡＤコンバータ８ａによってアナログからデジタルに変換されて、演算制御部９に送られる。増幅器７ｃには、受光センサ６ｃから出力された信号が入力される。この信号は、増幅器７ｃによって増幅され、ＡＤコンバータ８ｃによってアナログからデジタルに変換されて、演算制御部９に送られる。
【００５３】
演算制御部９は、ＡＤコンバータ８ａ，８ｂ，８ｃから出力された信号を基にして、色度を測定する（ステップＳ１２）。これは、第１実施形態で説明した色度の算出と同じである。また、演算制御部９は、ＡＤコンバータ８ｂから出力された信号を基にして、輝度を測定する（ステップＳ１２）。これは、第１実施形態で説明した輝度の算出と同じである。
【００５４】
演算制御部９は、色度及び輝度の測定結果を表示部１１に表示させる（ステップＳ１３）。
【００５５】
第２実施形態の主な効果を説明する。増幅器７ｄ（第１の後段回路）に入力する信号が小さすぎると、フリッカの測定精度が低下する。第２のモードのとき、色度及び輝度は測定されない。そこで、第２実施形態は、図５を参照して、第２のモードのとき、受光センサ６ｂから出力された信号を、受光センサ６ｄから出力された信号に加算し、この加算された信号を増幅器７ｄに入力させる。これにより、第２のモードのときに、増幅器７ｄに入力される信号が小さすぎないようにすることができる。
【００５６】
増幅器７ｂ（第２の後段回路）に入力する信号が小さすぎると、輝度の測定精度が低下する。第３のモードのとき、フリッカは測定されない。そこで、第２実施形態は、図６を参照して、第３のモードのとき、受光センサ６ｄから出力された信号を、受光センサ６ｂから出力された信号に加算し、この加算された信号を増幅器７ｂに入力させる。これにより、第３のモードのときに、増幅器７ｂに入力される信号が小さすぎないようにすることができる。
【００５７】
第２実施形態には、第１変形例及び第２変形例がある。図４を参照して、第１変形例は、スイッチ１６を備えるが、スイッチ１７を備えない。受光センサ６ｄの出力は、増幅器７ｄの入力と接続されている。スイッチ１６は、受光センサ６ｂの出力と増幅器７ｂの入力との接続、又は、受光センサ６ｂの出力と増幅器７ｄの入力との接続を選択的に切り替える。
【００５８】
第１変形例のモード制御部９０は、フリッカと、フリッカと異なる光学特性とを同時に測定する第１のモードのとき、スイッチ１６を制御して、受光センサ６ｂの出力と増幅器７ｂの入力とを接続した状態にし、フリッカと異なる光学特性を測定せずにフリッカを測定する第２のモードのとき、スイッチ１６を制御して、受光センサ６ｂの出力と増幅器７ｄの入力とを接続した状態にする。
【００５９】
第１変形例は、第２のモードのとき、受光センサ６ｂの出力と増幅器７ｄの入力とを接続した状態とする。これにより、受光センサ６ｂから出力された信号が、受光センサ６ｄから出力された信号に加算され、この加算された信号が増幅器７ｄに入力される。従って、第１変形例によれば、第２のモードのときに、増幅器７ｄに入力される信号が小さすぎないようにすることができる。
【００６０】
図４を参照して、第２変形例は、スイッチ１７を備えるが、スイッチ１６を備えない。受光センサ６ｂの出力は、増幅器７ｂの入力と接続されている。スイッチ１７は、受光センサ６ｄの出力と増幅器７ｄの入力との接続、又は、受光センサ６ｄの出力と増幅器７ｂの入力との接続を選択的に切り替える。
【００６１】
第２変形例のモード制御部９０は、フリッカと、フリッカと異なる光学特性とを同時に測定する第１のモードのとき、スイッチ１７を制御して、受光センサ６ｄの出力と増幅器７ｄの入力とを接続した状態にし、フリッカを測定せずにフリッカと異なる光学特性を測定する第３のモードのとき、スイッチ１７を制御して、受光センサ６ｄの出力と増幅器７ｂの入力とを接続した状態にする。
【００６２】
第２変形例は、第３のモードのとき、受光センサ６ｄの出力と増幅器７ｂの入力とを接続した状態とする。これにより、受光センサ６ｄから出力された信号が、受光センサ６ｂから出力された信号に加算され、この加算された信号が増幅器７ｂに入力される。従って、第２変形例によれば、第３のモードのときに、増幅器７ｂに入力される信号が小さすぎないようにすることができる。
【００６３】
第３実施形態を説明する。図９は、第３実施形態に係る光学特性測定装置が第１のモードにおいて、この光学特性測定装置に備えられる受光センサ６ａ，６ｂ，６ｃ，６ｄ及び増幅器７ａ，７ｂ，７ｃ，７ｄによって構成される回路の接続状態を示す回路図である。増幅器７ｄから出力された信号が飽和していれば、フリッカの測定値の誤差が大きくなる。第３実施形態に係る光学特性測定装置は、増幅器７ｄから出力された信号が飽和しているか否かを判定する。
【００６４】
第３実施形態に係る光学特性測定装置が、第２実施形態に係る光学特性測定装置と異なる点を説明する。第３実施形態に係る光学特性測定装置は、図４に示す回路の構成に加えて、フィルタ１８を備える。フィルタ１８は、ローパスフィルタであり、増幅器７ｄ（第１の後段回路）から出力された信号が入力し、入力した信号のうち、フリッカの測定で対象とされる周波数成分の信号を出力する。フィルタ１８から出力された信号は、ＡＤコンバータ８ｄに入力される。
【００６５】
増幅器７ｄから出力された信号の中には、フリッカの測定で対象とされる周波数成分に加えて、これ以外の高周波成分も含まれる。このため、フィルタ１８によって、増幅器７ｄから出力された信号の中から、フリッカの測定で対象とされる周波数成分の信号が抽出されて出力される。
【００６６】
図１０は、増幅器７ｄから出力される信号Ｓ１と、フィルタ１８から出力される信号Ｓ２，Ｓ３との関係を示すグラフである。グラフの横軸は、時間を示し、グラフの縦軸は、信号の大きさを示す。信号Ｓ１は、増幅器７ｄによって増幅された信号が飽和している場合において、この信号が飽和しなかったと仮定したときに、増幅器７ｄから出力された信号を示す。増幅器７ｄによって増幅された信号は、飽和しているので、実際の信号Ｓ１の上限値は、飽和レベルとなる。信号Ｓ２は、信号Ｓ１がフィルタ１８に入力したとき、フィルタ１８から出力される信号を示す。信号Ｓ３は、上記実際の信号Ｓ１がフィルタ１８に入力したとき、フィルタ１８から出力される信号を示す。
【００６７】
増幅器７ｄに入力された信号は、増幅器７ｄによって増幅されて出力されるが、増幅される信号の振幅の最大値が、増幅器７ｄのダイナミックレンジを超える値となるとき、増幅器７ｄから出力される信号が飽和する。増幅器７ｄから出力された信号が飽和しているとき、その信号の最大値は、飽和レベルとなり、本来の最大値よりも低くなる。これにより、フィルタ１８から出力される信号Ｓ３は、本来、出力されるべき信号Ｓ２よりも低くなる。例えば、増幅器７ｄから出力される信号の最大値が２００であるべきなのに、信号が飽和することにより、最大値が１００になれば、フリッカの測定値の誤差が大きくなり、フリッカの測定値としては採用できない。
【００６８】
フィルタ１８から出力された信号Ｓ２，Ｓ３は、平滑化されているので、フィルタ１８から出力された信号Ｓ２，Ｓ３の波形からは、増幅器７ｄから出力された信号が飽和しているか否かは、判定できない。
【００６９】
本発明者は、フリッカと、フリッカと異なる光学特性とが同時に測定されているとき、フィルタ１８から出力された信号の値と、増幅器７ａ，７ｂ，７ｃから出力された信号の値との関係に着目した。増幅器７ｄから出力された信号が飽和していない場合、フィルタ１８から出力された信号の値と、増幅器７ａ，７ｂ，７ｃから出力された信号の値とは、所定の関係（例えば、比例）が成立する。これに対して、増幅器７ｄから出力された信号が飽和している場合、フィルタ１８から出力された信号の値と、増幅器７ａ，７ｂ，７ｃから出力された信号の値とは、所定の関係が成立しない。
【００７０】
第３実施形態に係る光学特性測定装置は、以上を基にしている。図１１は、第３実施形態に係る光学特性測定装置に備えられる演算制御部９、操作部１０及び表示部１１の関係を示すブロック図である。演算制御部９は、機能ブロックとして、モード制御部９０、記憶部９１及び判定部９２を備える。モード制御部９０は、第２実施形態で説明した。
【００７１】
図９及び図１１を参照して、記憶部９１は、第３実施形態に係る光学特性測定装置が、第１のモードのときに（すなわち、フリッカと、フリッカと異なる光学特性とを同時に測定しているときに）、増幅器７ｄ（第１の後段回路）から出力された信号が飽和していない状態でフィルタ１８から出力された信号の値と、増幅器７ｂ（第２の後段回路）から出力された信号の値との所定の関係（例えば、比例）を示す情報を予め記憶している。増幅器７ｄから出力された信号が飽和しているか否かを判定するには、増幅器７ａ，７ｂ，７ｃのいずれか一つから出力された信号が用いられる。ここでは、増幅器７ｂから出力された信号が用いられるとする。
【００７２】
所定の関係を示す情報とは、例えば、増幅器７ｄから出力された信号が飽和していない場合、フィルタ１８から出力された信号の値と、増幅器７ｂから出力された信号の値との関係を示す式である。
【００７３】
判定部９２は、第１のモードのとき、フィルタ１８から出力された信号の値、増幅器７ｂから出力された信号の値、及び、記憶部９１に記憶されている所定の関係を示す情報を用いて、増幅器７ｄから出力された信号が飽和しているか否かを判定する。判定部９２は、フィルタ１８から出力された信号の値と、増幅器７ｂから出力された信号の値とが、所定の関係が成立していると認定したとき、増幅器７ｄから出力された信号が飽和していないと判定する。これに対して、判定部９２は、フィルタ１８から出力された信号の値と、増幅器７ｂから出力された信号の値とが、所定の関係が成立していないと認定したとき、増幅器７ｄから出力された信号が飽和していると判定する。
【００７４】
判定部９２が、増幅器７ｄから出力された信号が飽和している判定したとき、演算制御部９は、フリッカの測定でエラーが発生した旨、及び、この原因が増幅器７ｄから出力された信号が飽和している旨を、表示部１１に表示させる。このように、演算制御部９及び表示部１１は、報知部として機能する。報知部は、増幅器７ｄから出力された信号が飽和している判定されたとき、所定の報知をする。
【００７５】
増幅器７ｂから出力された信号が飽和していれば、判定部９２は、増幅器７ｄから出力された信号が飽和しているか否かを正しく判定できない。そこで、増幅器７ｂは、増幅器７ｄよりも、ダイナミックレンジの最大値が大きくされている（言い換えれば、広いダイナミックレンジを有する）。これにより、増幅器７ｂから出力される信号が飽和しないようにする。例えば、増幅器７ｂのオペアンプの電源電圧が大きければ、ダイナミックレンジの最大値が大きくなる。
【００７６】
判定部９２が、増幅器７ｄから出力された信号が飽和していないと判定したとき、演算制御部９は、第２実施形態の演算制御部９（図７）と同様にして、フリッカと、フリッカと異なる光学特性とを同時に測定する。
【００７７】
第３実施形態に係る光学特性測定装置の第２のモード及び第３のモードの動作は、第２実施形態に係る光学特性測定装置の第２のモード及び第３のモードの動作と同じなので、説明を省略する。
【００７８】
（実施形態の纏め）
実施形態に係る光学特性測定装置は、フリッカと、前記フリッカと異なる光学特性とを同時に測定できる光学特性測定装置であって、前記フリッカを測定するための第１の受光センサと、前記第１の受光センサから出力された信号が入力される第１の後段回路と、前記光学特性を測定するための第２の受光センサと、前記第２の受光センサから出力された信号が入力される第２の後段回路と、を備える。
【００７９】
実施形態に係る光学特性測定装置では、フリッカの測定用の受光センサ及び後段回路と、フリッカと異なる光学特性の測定用の受光センサ及び後段回路とが別々にされている。従って、実施形態に係る光学特性測定装置によれば、フリッカと、フリッカと異なる光学特性とを同時に測定でき、かつ、フリッカの測定に好適な後段回路と、フリッカと異なる光学特性の測定に好適な後段回路をそれぞれ用いることができる。第１の後段回路は、例えば、オペアンプを用いた電流電圧変換回路であり、第２の後段回路は、例えば、オペアンプを用いた積分回路である。
【００８０】
上記構成において、前記第１の受光センサの出力と前記第１の後段回路の入力とを接続し、かつ、前記第２の受光センサの出力と前記第２の後段回路の入力とを接続することを第１の接続とし、前記第１の受光センサの出力と前記第１の後段回路の入力とを接続し、かつ、前記第２の受光センサの出力と前記第１の後段回路の入力とを接続することを第２の接続とし、前記第１の受光センサの出力と前記第２の後段回路の入力とを接続し、かつ、前記第２の受光センサの出力と前記第２の後段回路の入力とを接続することを第３の接続とし、前記第１の接続、前記第２の接続、又は、前記第３の接続を選択的に切り替えるスイッチ部と、前記フリッカと前記光学特性とを同時に測定する第１のモードのとき、前記スイッチ部を制御して前記第１の接続の状態にし、前記光学特性を測定せずに前記フリッカを測定する第２のモードのとき、前記スイッチ部を制御して前記第２の接続の状態とし、前記フリッカを測定せずに前記光学特性を測定する第３のモードのとき、前記スイッチ部を制御して前記第３の接続の状態にするモード制御部と、をさらに備える。
【００８１】
第１の後段回路に入力する信号が小さすぎると、フリッカの測定精度が低下する。第２のモードのとき、フリッカと異なる光学特性は測定されない。そこで、この構成は、第２のモードのとき、第２の接続の状態とする。これにより、第２の受光センサから出力された信号が、第１の受光センサから出力された信号に加算され、この加算された信号が第１の後段回路に入力される。従って、この構成によれば、第２のモードのときに、第１の後段回路に入力される信号が小さすぎないようにすることができる。
【００８２】
第２の後段回路に入力する信号が小さすぎると、フリッカと異なる光学特性の測定精度が低下する。第３のモードのとき、フリッカは測定されない。そこで、この構成は、第３のモードのとき、第３の接続の状態とする。これにより、第１の受光センサから出力された信号が、第２の受光センサから出力された信号に加算され、この加算された信号が第２の後段回路に入力される。従って、この構成によれば、第３のモードのときに、第２の後段回路に入力される信号が小さすぎないようにすることができる。
【００８３】
上記構成において、前記第２の受光センサの出力と前記第２の後段回路の入力との接続、又は、前記第２の受光センサの出力と前記第１の後段回路の入力との接続を選択的に切り替えるスイッチ部と、前記フリッカと前記光学特性とを同時に測定する第１のモードのとき、前記スイッチ部を制御して、前記第２の受光センサの出力と前記第２の後段回路の入力とを接続した状態にし、前記光学特性を測定せずに前記フリッカを測定する第２のモードのとき、前記スイッチ部を制御して、前記第２の受光センサの出力と前記第１の後段回路の入力とを接続した状態にするモード制御部と、をさらに備える。
【００８４】
第１の後段回路に入力する信号が小さすぎると、フリッカの測定精度が低下する。第２のモードのとき、フリッカと異なる光学特性は測定されない。そこで、この構成は、第２のモードのとき、第２の受光センサの出力と第１の後段回路の入力とを接続した状態とする。これにより、第２の受光センサから出力された信号が、第１の受光センサから出力された信号に加算され、この加算された信号が第１の後段回路に入力される。従って、この構成によれば、第２のモードのときに、第１の後段回路に入力される信号が小さすぎないようにすることができる。
【００８５】
上記構成において、前記第１の受光センサの出力と前記第１の後段回路の入力との接続、又は、前記第１の受光センサの出力と前記第２の後段回路の入力との接続を選択的に切り替えるスイッチ部と、前記フリッカと前記光学特性とを同時に測定する第１のモードのとき、前記スイッチ部を制御して、前記第１の受光センサの出力と前記第１の後段回路の入力とを接続した状態にし、前記フリッカを測定せずに前記光学特性を測定する第３のモードのとき、前記スイッチ部を制御して、前記第１の受光センサの出力と前記第２の後段回路の入力とを接続した状態にするモード制御部と、をさらに備える。
【００８６】
第２の後段回路に入力する信号が小さすぎると、フリッカと異なる光学特性の測定精度が低下する。第３のモードのとき、フリッカは測定されない。そこで、この構成は、第３のモードのとき、第１の受光センサの出力と第２の後段回路の入力とを接続した状態とする。これにより、第１の受光センサから出力された信号が、第２の受光センサから出力された信号に加算され、この加算された信号が第２の後段回路に入力される。従って、この構成によれば、第３のモードのときに、第２の後段回路に入力される信号が小さすぎないようにすることができる。
【００８７】
上記構成において、前記第１の後段回路から出力された信号が入力し、入力した信号のうち、前記フリッカの測定で対象とされる周波数成分の信号を出力するフィルタと、前記光学特性測定装置が、前記フリッカと前記光学特性とを同時に測定しているときに、前記第１の後段回路から出力された信号が飽和していない状態で前記フィルタから出力された信号の値と、前記第２の後段回路から出力された信号の値との所定の関係を示す情報を予め記憶している記憶部と、前記光学特性測定装置が、前記フリッカと前記光学特性とを同時に測定しているとき、前記フィルタから出力された信号の値、前記第２の後段回路から出力された信号の値、及び、前記記憶部に記憶されている前記所定の関係を示す情報を用いて、前記第１の後段回路から出力された信号が飽和しているか否かを判定する判定部と、前記第１の後段回路から出力された信号が飽和している判定されたとき、所定の報知をする報知部と、をさらに備え、前記第２の後段回路は、前記第１の後段回路よりも、ダイナミックレンジの最大値が大きくされている。
【００８８】
第１の後段回路から出力された信号が飽和しているとき、その信号の最大値は、本来の最大値よりも低くなる。例えば、最大値が２００であるべきなのに、信号が飽和することにより、最大値が１００になれば、フリッカの測定値の誤差が大きくなり、フリッカの測定値としては採用できない。
【００８９】
第１の後段回路から出力された信号の中には、フリッカの測定で対象とされる周波数成分に加えて、これ以外の周波数成分も含まれる。このため、フィルタによって、第１の後段回路から出力された信号の中から、フリッカの測定で対象とされる周波数成分の信号が抽出されて出力される。フィルタから出力された信号は、平滑化されているので、フィルタから出力された信号の波形からは、第１の後段回路から出力された信号が飽和しているか否かは、判定できない。
【００９０】
本発明者は、フリッカと、フリッカと異なる光学特性とが同時に測定されているとき、フィルタから出力された信号の値と、第２の後段回路から出力された信号の値との関係に着目した。第１の後段回路から出力された信号が飽和していない場合、フィルタから出力された信号の値と、第２の後段回路から出力された信号の値とは、所定の関係（例えば、比例）が成立する。これに対して、第１の後段回路から出力された信号が飽和している場合、フィルタから出力された信号の値と、第２の後段回路から出力された信号の値とは、所定の関係が成立しない。
【００９１】
この構成は、以上を基にしている。光学特性測定装置が、フリッカと、フリッカと異なる光学特性とを同時に測定しているとき、判定部は、フィルタから出力された信号の値、第２の後段回路から出力された信号の値、及び、所定の関係を示す情報を用いて、第１の後段回路から出力された信号が飽和しているか否かを判定し、判定部が、信号が飽和している判定したとき、報知部は、所定の報知をする。
【００９２】
第２の後段回路から出力された信号が飽和していれば、判定部は、第１の後段回路から出力された信号が飽和しているか否かを正しく判定できない。そこで、第２の後段回路は、第１の後段回路よりも、ダイナミックレンジの最大値が大きくされている（言い換えれば、広いダイナミックレンジを有する）。これにより、第２の後段回路から出力される信号が飽和しないようにする。
【００９３】
この出願は、２０１５年１２月１６日に出願された日本国特許出願特願２０１５−２４５５００を基礎とするものであり、その内容は、本願に含まれるものである。
【００９４】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９５】
本発明によれば、光学特性測定装置を提供することができる。
【図１】
2017104474.tif 000003
【図２】
2017104474.tif 000004
【図３】
2017104474.tif 000005
【図４】
2017104474.tif 000006
【図５】
2017104474.tif 000007
【図６】
2017104474.tif 000008
【図７】
2017104474.tif 000009
【図８】
2017104474.tif 000010
【図９】
2017104474.tif 000011
【図１０】
2017104474.tif 000012
【図１１】
2017104474.tif 000013
【国際調査報告】
2017104474.tif 000014
2017104474.tif 000015
2017104474.tif 000016
2017104474.tif 000017